(57)【要約】【課題】画像状態の変化による濃度測定値の変化が考慮され、この濃度測定値を用いた好ましい画像処理が実現される画像処理方法、画像処理装置、画像処理プログラム及び画像形成装置を提供する。【解決手段】最新のむら補正値を用いてむら補正処理が施された画像データに基づいて濃度むら測定用テスト画像を形成し、濃度むら測定用テスト画像における処理前の濃度測定値である変換前濃度測定値を取得し、処理の前後における濃度測定値の変換関係を表す濃度測定値変換値を用いて、変換前濃度測定値を処理後の濃度測定値に相当する変換後濃度測定値に変換し、変換後濃度測定値を用いて新たなむら補正値が導出される。新たなむら補正値が適用されたむら補正が実行された画像データに基づいて画像形成がされる。【選択図】図２
2014231155.tif 000002
【特許請求の範囲】
【請求項１】
予め設定されたむら補正値を用いて、記録ヘッドに具備される複数の記録素子の記録特性に起因する濃度むらを補正するむら補正処理が施された画像データに基づいて、濃度むら測定用テスト画像を形成する濃度むら測定用テスト画像形成工程と、
前記記録ヘッドを用いた画像形成後の処理の前に、前記濃度むら測定用テスト画像における記録素子ごと濃度設定値ごとの濃度測定値である変換前濃度測定値を取得する濃度測定値取得工程と、
予め導出された、濃度設定値ごとの前記処理の前後における濃度測定値の変換関係を表し、濃度設定値として前記設定されたむら補正値が適用される濃度測定値変換値を用いて、前記取得された変換前濃度測定値を前記処理後の濃度測定値に相当する変換後濃度測定値に変換する濃度測定値変換工程と、
前記変換後濃度測定値を用いて新たなむら補正値を導出するむら補正値導出工程と、
を含む画像処理方法。
【請求項２】
予め設定されたむら補正値を用いてむら補正処理が施された画像データに基づき、前記記録ヘッドを用いて濃度測定用テスト画像を形成する濃度測定用テスト画像形成工程と、
前記形成された濃度測定用テスト画像の前記処理の前に、前記濃度測定用テスト画像における濃度設定値ごとの前記処理の前の濃度測定値を取得する処理前濃度測定値取得工程と、
前記形成された濃度測定用テスト画像に前記処理を施す処理工程と、
前記処理工程の後に、前記濃度測定用テスト画像における濃度設定値ごとの前記処理の後の濃度測定値を取得する処理後濃度測定値取得工程と、
前記処理前濃度測定値及び前記処理後濃度測定値に基づいて、前記設定されたむら補正値を濃度設定値として、濃度設定値ごとの前記濃度測定値変換値を導出する濃度測定値変換値導出工程と、
を含む請求項１に記載の画像処理方法。
【請求項３】
前記濃度測定値変換値導出工程は、濃度設定値ごとに、次式
（処理の後の濃度測定値）／（処理の前の濃度測定値）…（１）
を用いた演算によって、濃度測定値変換値を導出する請求項２に記載の画像処理方法。
【請求項４】
前記濃度設定値変換工程は、前記濃度むら測定用画像を形成した際のむら補正値の値を濃度設定値に適用して前記（１）式を用いて導出された値を読み出し、前記読み出された濃度測定値変換値を前記変換前濃度測定値に乗じて、前記むら補正値を濃度設定値とする前記変換前濃度測定値を前記変換後濃度測定値に変換する請求項３に記載の画像処理方法。
【請求項５】
前記処理前濃度測定値取得工程は、記録素子の配列方向における複数の濃度測定値の平均値を処理前濃度測定値とし、
前記処理後濃度測定値取得工程は、記録素子の配列方向における複数の濃度測定値の平均値を処理後濃度測定値とする請求項２から４のいずれか１項に記載の画像処理方法。
【請求項６】
前記形成された濃度測定用テスト画像の前記処理の前に、撮像素子を用いて前記濃度測定用テスト画像を読み取る処理前読取工程を含み、
前記処理前濃度測定値取得工程は、前記処理前読取工程の読取結果から、前記濃度測定用テスト画像における濃度設定値ごとの前記処理の前の濃度測定値を取得する請求項２から５のいずれか１項に記載の画像処理方法。
【請求項７】
前記処理工程の後に、前記撮像素子を用いて前記濃度測定用テスト画像を読み取る処理後読取工程を含み、
前記処理後濃度測定値取得工程は、前記処理後読取工程の読取結果から、前記濃度測定用テスト画像における濃度設定値ごとの前記処理の後の濃度測定値を取得する請求項６に記載の画像処理方法。
【請求項８】
前記記録ヘッドを用いた画像形成後の処理の前に、前記形成された濃度むら測定用テスト画像を、撮像素子を用いて読み取る読取工程を含み、
前記濃度測定値取得工程は、前記読取工程の読取結果から、前記濃度むら測定用テスト画像における記録素子ごと濃度設定値ごとの濃度測定値である変換前濃度測定値を取得する請求項１から７のいずれか１項に記載の画像処理方法。
【請求項９】
前記画像形成後の処理は、乾燥処理及び定着処理の少なくともいずれか一方を含む請求項１から８のいずれか１項に記載の画像処理方法。
【請求項１０】
予め設定されたむら補正値を用いて、記録ヘッドに具備される複数の記録素子の記録特性に起因する濃度むらを補正するむら補正処理が施された画像データに基づいて形成された濃度むら測定用テスト画像における、記録素子ごと濃度設定値ごとの濃度測定値である変換前濃度測定値を取得する濃度測定値取得部と、
予め導出され、濃度設定値ごとの前記処理の前後における濃度測定値の変換関係を表し、濃度設定値として前記設定されたむら補正値が適用される濃度測定値変換値を用いて、前記取得された変換前濃度測定値を前記処理後の濃度測定値に相当する変換後濃度測定値に変換する濃度測定値変換部と、
前記変換後濃度測定値を用いて新たなむら補正値を導出するむら補正値導出部と、
を備えた画像処理装置。
【請求項１１】
前記濃度測定値変換値を導出する濃度測定値変換値導出部を備え、
前記濃度測定値取得部は、予め設定されたむら補正値を用いてむら補正処理が施された画像データに基づいて前記記録ヘッドを用いて形成された濃度測定用テスト画像における前記処理の前の濃度設定値ごとの処理前濃度測定値、前記濃度測定用テスト画像の前記処理の後の濃度設定値ごとの処理後濃度測定値を取得し、
濃度測定値変換値導出部は、前記処理の前の濃度測定値及び前記処理の後の濃度測定値に基づいて、前記設定されたむら補正値を濃度設定値として、濃度設定値ごとの前記濃度測定値変換値を導出する請求項１０に記載の画像処理装置。
【請求項１２】
コンピュータに、
予め設定されたむら補正値を用いて、記録ヘッドに具備される複数の記録素子の記録特性に起因する濃度むらを補正するむら補正処理が施された画像データに基づいて、濃度むら測定用テスト画像を形成する濃度むら測定用テスト画像形成工程と、
前記記録ヘッドを用いた画像形成後の処理の前に、前記形成された濃度むら測定用テスト画像における記録素子ごと濃度設定値ごとの濃度測定値である変換前濃度測定値を取得する濃度測定値取得工程と、
予め導出された、濃度設定値ごとの前記処理の前後における濃度測定値の変換関係を表し、濃度設定値として前記設定されたむら補正値が適用される濃度測定値変換値を用いて、前記取得された変換前濃度測定値を前記処理後の濃度測定値に相当する変換後濃度測定値に変換する濃度測定値変換工程と、
前記変換後濃度測定値を用いて新たなむら補正値を導出するむら補正値導出工程と、
を実行させる画像処理プログラム。
【請求項１３】
複数の記録素子が具備される記録ヘッドと、
入力画像データに対して、前記記録ヘッドに具備される複数の記録素子の記録特性に起因する濃度むらを予め設定されたむら補正値を用いてむら補正処理を施すむら補正処理部を具備する画像処理部と、
記録媒体と前記記録ヘッドとを相対的に搬送させる相対搬送部と、
前記記録ヘッドを基準とする前記記録媒体の相対移動方向における前記記録ヘッドの下流側に設けられ、前記記録ヘッドを用いて形成された画像の濃度測定値を取得する濃度測定値取得部と、
前記記録ヘッドを基準とする前記記録媒体の相対移動方向における前記濃度測定値取得部の下流側に設けられ、前記記録ヘッドを用いて形成された画像に処理を施す処理部と、
濃度設定値ごとの前記処理部による処理の前後における濃度測定値の変換関係を表し、濃度設定値として前記設定されたむら補正値が適用される濃度測定値変換値を用いて、前記取得された変換前濃度測定値を前記処理の後の濃度測定値に相当する変換後濃度測定値に変換する濃度測定値変換部と、
前記変換後濃度測定値を用いて新たなむら補正値を導出するむら補正値導出部と、
を備え、
前記濃度測定値取得部は、前記処理部による処理の前に、前記画像処理部において、予め設定されたむら補正値を用いたむら補正処理が施された画像データに基づいて生成された濃度むら測定用テスト画像における記録素子ごと濃度設定値ごとの濃度測定値である変換前濃度測定値を取得し、
前記むら補正値導出部によって新たなむら補正値が導出されると、前記新たなむら補正値を用いて画像データに対してむら補正処理を施し、
前記記録ヘッドは、前記新たなむら補正値を用いてむら補正処理が施された画像データに基づいて所望の画像を形成する画像形成装置。
【発明の詳細な説明】
【技術分野】
【０００１】
本発明は画像処理方法、画像処理装置、画像処理プログラム及び画像形成装置に係り、特にノズルごとの吐出特性に起因する濃度むら補正技術に関する。
【背景技術】
【０００２】
記録媒体上にカラー画像を記録する画像形成装置として、インクジェットヘッドからカラーインクを吐出させるインクジェット記録装置が知られている。例えば、Ｃ（シアン）、マゼンタ（Ｍ）、イエロー（Ｙ）、黒（Ｋ）の各色に対応するインクジェットヘッドを備える構成が採用されている。
【０００３】
インクジェットヘッドは、製造ばらつき等に起因するノズルごとの吐出特性のばらつきが存在するので、ノズルごと、濃度設定値（階調値）ごとに予め補正値（補正係数）が準備され、この補正値を使用して画像データに対して補正処理が施される。
【０００４】
特許文献１は、印刷媒体上に濃度キャリブレーション用のキャリブレーションパターンを印刷し、これを読取装置で読み取った読取データから各色インクのインク使用量のばらつきを検知し、このばらつきを解消するように対応する要素色の色変換テーブルに修正を加えることによって、印刷データを修正する印刷装置が記載されている。
【０００５】
特許文献１に記載された印刷装置は、各色インクが印刷媒体上に定着する時間を見越して、各色インクの使用量の基準値からの偏差を取得し、この偏差を解消するように印刷データを修正して、より正確に色バランスのずれを補正するように構成されている。
【先行技術文献】
【特許文献】
【０００６】
【特許文献１】特開２０００−２３８２９９号公報
【発明の概要】
【発明が解決しようとする課題】
【０００７】
一般に、イメージセンサ等の撮像素子を用いた画像読み取りでは、照明光の正反射成分が直接イメージセンサに入射しないように、画像に対して斜め方向から照明光が照射される。すなわち、イメージセンサには、主として画像の光散乱の成分が入射される。
【０００８】
描画直後や描画からの経過時間が短く、インクが十分に乾燥していない状態や、インクが十分に記録媒体に定着していない状態では、インク表面での光散乱が相対的に小さくなる（正反射成分が大きくなる）。これに対して、インクが十分に乾燥した状態や、インクが十分に記録媒体へ定着した状態では、インク表面での光散乱が相対的に大きくなる。
【０００９】
同じ画像を読み取っているにもかかわらず、インクが未乾燥、未定着の状態は、インクの乾燥、定着が進行した後の状態に比べてイメージセンサへ入射される光量が全体として小さくなり、その結果、インク量の差を反映した入射される光量の変化が小さくなってしまう。
【００１０】
そうすると、読取結果からインク量の差（例えば、画像の濃度むら）を正確に把握することが困難になり、インク量の測定精度が低下してしまう。
【００１１】
一方、描画部の直後に乾燥定着部が配置され、その下流側にイメージセンサが配置される装置構成を採用することによって、上記の問題は解決される。他方、描画時、イメージセンサによる読取時は、記録媒体を固定保持する必要があり、描画用、イメージセンサによる読取用として個別に記録媒体を固定保持する手段を具備しなければならない。
【００１２】
そうすると、描画部の直後にイメージセンサが配置される装置構成と比べて、装置サイズ（装置規模）が大きくなってしまう。
【００１３】
本発明はこのような事情に鑑みてなされたもので、画像状態の変化による濃度測定値の変化が考慮され、この濃度測定値を用いた好ましい画像処理が実現される画像処理方法、画像処理装置、画像処理プログラム及び画像形成装置を提供することを目的とする。
【課題を解決するための手段】
【００１４】
上記目的を達成するために、本発明に係る画像処理方法は、予め設定されたむら補正値を用いて、記録ヘッドに具備される複数の記録素子の記録特性に起因する濃度むらを補正するむら補正処理が施された画像データに基づいて、濃度むら測定用テスト画像を形成する濃度むら測定用テスト画像形成工程と、記録ヘッドを用いた画像形成後の処理の前に、濃度むら測定用テスト画像における記録素子ごと濃度設定値ごとの濃度測定値である変換前濃度測定値を取得する濃度測定値取得工程と、予め導出された、濃度設定値ごとの処理の前後における濃度測定値の変換関係を表し、濃度設定値として設定されたむら補正値が適用される濃度測定値変換値を用いて、取得された変換前濃度測定値を処理後の濃度測定値に相当する変換後濃度測定値に変換する濃度測定値変換工程と、変換後濃度測定値を用いて新たなむら補正値を導出するむら補正値導出工程と、を含んでいる。
【発明の効果】
【００１５】
本発明によれば、処理の前後における濃度測定値の変換関係を表す濃度測定値変換値を用いて、処理前の濃度測定値である変換前濃度測定値が処理後の濃度測定値に相当する変換後濃度測定値に変換され、変化後の濃度測定値に基づいてむら補正値が導出されるので、処理の前後で画像の濃度測定値の違いが考慮された新たなむら補正値が導出される。
【図面の簡単な説明】
【００１６】
【図１】本発明の実施形態に係る画像処理方法における濃度測定値変換値導出の流れを示すフローチャート
【図２】本発明の実施形態に係る画像処理方法におけるむら補正値導出の流れを示すフローチャート
【図３】導出（更新）後のむら補正値が適用されるむら補正処理を含む画像形成方法の流れを示すフローチャート
【図４】本発明に係る画像処理方法が適用される画像形成装置の概略構成を示すブロック図
【図５】図４の描画ユニットに具備されるインクジェットヘッドの概略構成を示す平面図
【図６】図５に示すヘッドモジュールのノズル配置を示す平面透視図
【図７】（ａ）：第１濃度測定値の説明図、（ｂ）：第２濃度測定値の説明図
【図８】濃度測定値変換値の説明図
【図９】（ａ）：むら補正値を模式的に図示した説明図、（ｂ）：むら補正値とインク量との関係を模式的に図示した説明図
【図１０】（ａ）：変換前の濃度測定値の説明図、（ｂ）変換後の濃度測定値の説明図
【図１１】濃度測定値変換値が適用される演算の説明図
【図１２】濃度測定用テスト画像の他の態様の説明図、（ａ）：記録媒体の中央部にパターンが形成された態様の説明図、（ｂ）：パターン間が離された態様の説明図
【図１３】本発明の実施形態に係る画像形成装置の全体構成図
【発明を実施するための形態】
【００１７】
以下、添付図面に従って本発明の好ましい実施の形態について詳説する。
【００１８】
〔画像処理方法の概要〕
本発明の実施形態に係る画像処理方法は、図１に図示する濃度測定値変換値を導出する濃度測定値変換値導出工程、図２に図示する濃度測定値変換値を用いて変換された濃度測定値からむら補正値を導出するむら補正値導出工程が含まれる。
【００１９】
導出されたむら補正値を用いて画像データに対してむら補正処理がされ、複数のノズル（記録素子）が具備されるインクジェットヘッド（記録ヘッド）を用いて所望の画像が形成される。以下に、詳細を説明する。
【００２０】
〔濃度測定値変換値導出の説明〕
図１は、本発明の実施形態に係る画像処理方法における濃度測定値変換値導出の流れを示すフローチャートである。濃度測定値変換値は、第１処理条件に基づく第１処理が施された後、かつ、第２処理条件に基づく第２処理が施される前の濃度測定用テスト画像（図７（ａ）に符号３００を付して図示）の濃度測定値（第１濃度測定値）と、第２処理条件に基づく第２処理が施された後の濃度測定用テスト画像（図７（ｂ）に符号３１０を付して図示）の濃度測定値（第２濃度測定値）と、の変換関係を示すものである。
【００２１】
以下の説明では、第１処理として、描画後であり乾燥定着処理前にされる短期間の記録媒体の搬送が適用され、第２処理として乾燥定着処理が適用される。すなわち、濃度測定値変換値は、乾燥定着前後の濃度測定値の変換関係を示し、濃度測定値変換値を用いた変換処理は、乾燥定着前の画像の濃度測定値が乾燥定着後の濃度測定値に変換される処理である。
【００２２】
濃度測定値変換値の導出が開始されると（ステップＳ１０）、すでに設定されているむら補正値（最後に更新された最新のむら補正値（第１むら補正値））を用いてむら補正処理が施された画像データに基づいて、濃度測定用テスト画像が形成される（ステップＳ１２：濃度測定用テスト画像形成工程）。
【００２３】
ステップＳ１２において形成された濃度測定用テスト画像は、濃度測定用テスト画像を読み取るイメージセンサ（撮像素子）の読取位置へ搬送される（ステップＳ１４：搬送工程（第１処理工程））。この濃度測定用テスト画像の搬送（第１条件に基づく第１処理）は、ごく短期間のものである。
【００２４】
すなわち、搬送工程後（イメージセンサによる読取時）の濃度測定用テスト画像は、乾燥定着前の状態である。
【００２５】
その後、イメージセンサを用いて、乾燥定着前の濃度測定用テスト画像が読み取られる（ステップＳ１６：処理前読取工程）。ここで、イメージセンサは、濃度測定用テスト画像を形成する画像形成装置に具備されるインラインセンサでもよいし、画像形成装置とは別途設けられるスキャナでもよい。
【００２６】
次に、イメージセンサの出力信号（読取結果）から、乾燥定着前の濃度測定用テスト画像の濃度測定値（第１濃度測定値）が取得される（ステップＳ１８：処理前濃度測定値取得工程（第１濃度測定値取得工程））。画像の濃度が高いとイメージセンサの入射光量が小さくなり、イメージセンサの出力信号は小さい値を示す。
【００２７】
一方、画像の濃度が低いとイメージセンサの入射光量が大きくなり、イメージセンサの出力信号は大きい値を示す。したがって、イメージセンサの出力信号の大小関係を反転させて濃度測定値とされる。ステップＳ１８では、濃度設定値ごとに濃度測定値が取得される（詳細後述）。
【００２８】
次に、乾燥定着前の濃度測定用テスト画像（ステップＳ１８において、イメージセンサを用いて読み取られた濃度測定用テスト画像）に対して、乾燥定着処理（第２処理条件に基づく第２処理）が施される（ステップＳ２０：処理工程（第２処理工程））。
【００２９】
ここで、乾燥定着処理として、濃度測定用テスト画像が乾燥定着状態になるまでの長期間の搬送を適用してもよい。
【００３０】
その後、乾燥定着前の濃度測定用テスト画像が読み取られたイメージセンサを用いて、乾燥定着処理後の濃度測定用テスト画像が読み取られ（ステップＳ２２：処理後読取工程）、イメージセンサの出力信号を反転させて、乾燥定着後の濃度測定用テスト画像の濃度測定値（第２濃度測定値）が取得される（ステップＳ２４：処理後濃度測定値取得工程（第２濃度測定値取得工程））。
【００３１】
ステップＳ２４では、ステップＳ１８と同様の、濃度設定値ごとに濃度測定値が取得される（詳細後述）。
【００３２】
このようにして、乾燥定着前後の濃度設定値ごとの濃度測定値が取得されると、乾燥定着前の濃度測定値と乾燥定着後の濃度測定値との変換関係を表す濃度測定値変換値が導出され（ステップＳ２６：濃度測定値変換値導出工程）、濃度測定値変換値の導出は終了される（ステップＳ２８）。
【００３３】
ステップＳ２６において導出された濃度測定値変換値は、濃度設定値（濃度測定用テスト画像を形成する際に用いられたむら補正値）を変数とする関数形式、又は濃度設定値をインデックスとするテーブル形式として、予め決められた記憶部（図４に符号１２８を付して図示した濃度測定値変換値記憶部）に記憶され、むら補正値が導出（変更又は更新）される際に読み出され、使用される。
【００３４】
〔むら補正値導出の説明〕
図２は、本発明の実施形態に係る画像処理方法におけるむら補正値導出の流れを示すフローチャートである。以下に、すでに濃度測定値変換値が導出されており、むら補正値が設定された状態で、当該設定されているむら補正値が新たなむら補正値に更新される場合について説明する。
【００３５】
以下の説明において、先に説明した部分と同一又は類似する部分には同一の符号を付し、その説明は省略する。
【００３６】
むら補正値導出が開始されると（ステップＳ１００）、最新のむら補正値（第２むら補正値）を用いてむら補正処理が施された画像データに基づいて、濃度むら測定用テスト画像が形成される（ステップＳ１０２：濃度むら測定用画像形成工程）。
【００３７】
濃度むら測定用テスト画像は、先に説明した濃度測定用テスト画像（図７（ａ）に符号３００を付し、図７（ｂ）に符号３１０を付して図示）と同様の構成を適用することができる（詳細後述）。
【００３８】
ステップＳ１０２において形成された濃度むら測定用テスト画像は、イメージセンサの読取位置へ搬送される（ステップＳ１０４：搬送工程）。そして、イメージセンサを用い乾燥定着前の濃度むら測定用テスト画像が読み取られ（ステップＳ１０６：読取工程）、変換前の濃度測定値（変換前濃度測定値（第３濃度測定値））が取得される（ステップＳ１０８：変換前濃度測定値取得工程（第３濃度測定値取得工程））。ステップＳ１０８では、ノズルごと、濃度設定値ごとに変換前濃度測定値が取得される。
【００３９】
次に、すでに導出されている濃度測定値変換値を用いて、変換前濃度測定値は、ノズルごと、濃度設定値ごとの定着乾燥後の濃度測定値と等価の変換後の濃度測定値（変換後濃度測定値（第４濃度測定値））へ変換される（ステップＳ１１０：濃度測定値変換工程（第４濃度測定値取得工程））。
【００４０】
ステップＳ１１０において、ノズルごと、濃度設定値ごとの変換後濃度測定値が導出されると、変換後濃度測定値から新たなむら補正値（第３むら補正値）が導出され（ステップＳ１１２：むら補正値導出工程）、当該むら補正値導出は終了される（ステップＳ１１４）。
【００４１】
ステップＳ１１２で導出されたむら補正値は、予め決められた記憶部（図４に符号１３０を付して図示したむら補正値記憶部）へ記憶される。
【００４２】
新たなむら補正値（第３むら補正値）が導出されると、新たなむら補正値が適用されたむら補正処理が実行される。なお、新たなむら補正値が導出された際に、これまで使用されていたむら補正値を書き換えてもよいし、これまで使用されていたむら補正値を残して、新たなむら補正値を記憶してもよい。
【００４３】
図３は、むら補正処理を含む画像形成方法の流れを示すフローチャートである。
【００４４】
画像形成が開始されると（ステップＳ２００）、画像データ（例えば、濃度値が０から２５５で表されるデジタル形式のラスターデータ）が取得され（ステップＳ２０２：画像データ取得工程）、取得された画像データに対して色変換処理が施され（ステップＳ２０２：色変換処理工程）、色分解（分版）処理が施される（ステップＳ２０２：色分解（分版）工程）。
【００４５】
このようにして形成された色ごとの画像データのそれぞれに対して、最新のむら補正値（第３むら補正値）を用いてむら補正処理が施され（ステップＳ２０４：むら補正処理工程）、むら補正処理後の画像データに対してハーフトーン処理が施され（ステップＳ２０６：ハーフトーン処理工程）、色ごとのドットデータ（画像を構成する画素ごとの濃度設定値（階調値）を表すデータ）が形成される。
【００４６】
次に、色ごとのドットデータから色ごと（インクジェットヘッドごと）の駆動電圧が生成され（ステップＳ２０８：駆動電圧生成工程）、インクジェットヘッドに対して生成された駆動電圧が印加され、インクジェットヘッドからインクが打滴され（ステップＳ２１０：打滴工程）、画像形成工程が終了される（ステップＳ２１２）。
【００４７】
以上説明した画像処理方法は、コンピュータに工程を実行させるプログラムとして構成し、当該プログラムを記憶した記憶媒体（一次的な読出及び書込みが不能な記憶媒体）を構成することが可能である。
【００４８】
〔画像処理装置（画像形成装置）の説明〕
次に、図１から図３を用いた画像処理方法を具現化する装置構成について説明する。図４は、本発明に係る画像処理方法が適用される画像処理装置（画像形成装置）の概略構成を示すブロック図である。
【００４９】
同図に示すインクジェット記録装置（画像形成装置）１００は、画像データ１０２が入力される画像データ入力部１０４と、入力された画像データに対して画像処理を施す画像処理部１０６と、を備えている。
【００５０】
画像処理部１０６（画像処理装置）は、画像データ（例えば、デジタル形式のラスターデータ）に基づいてドットデータを生成し、ノズルごとの打滴データを生成する。
【００５１】
すなわち、画像処理部１０６は、ＲＧＢで表された画像データをインク色に対応するＣＭＫＹで表される画像データに変換する色変換処理部（不図示）、ＣＭＫＹで表された多階調の画像データを、色ごとの多階調の画像データに分解する色分解（分版）処理部（不図示）、色ごとの多階調の画像データに対してむら補正値を用いてむら補正処理を施すむら補正処理部１０８、及びむら補正処理後の色ごとの多階調の画像データに対してハーフトーン処理を施すハーフトーン処理部１１０を備えている。
【００５２】
むら補正処理の際には、むら補正値生成部１２０において生成され、むら補正値記憶部１３０に記憶される最新のむら補正値が適用される。
【００５３】
むら補正値生成部１２０は、濃度測定値を取得する濃度測定値取得部１２２と、取得された濃度測定値が記憶される濃度測定値記憶部１２４と、図１を用いて説明した濃度測定値変換値を導出（算出）し、また図２を用いて説明した変換前濃度測定値から変換後濃度測定値への変換処理、むら補正値を導出する演算処理部１２６（濃度測定値変換部、濃度測定値変換値導出部）と、濃度測定値変換値が記憶される濃度測定値変換値記憶部１２８と、むら補正値が記憶されるむら補正値記憶部１３０と、を含んで構成される。
【００５４】
また、インクジェット記録装置１００は、記録媒体１４０へ入力画像データに基づく画像を形成する画像形成部１５０を具備している。画像形成部１５０は、インクジェットヘッド（図４中不図示、図５に符号２００を付して図示）を含む描画ユニット１５２（画像形成部）と、描画後の記録媒体１４０をスキャナの読取位置へ搬送させる搬送部１５４と、記録媒体１４０に形成された画像を読み取るスキャナ１５６（読取部）と、スキャナ１５６による読取処理後の画像に対して、乾燥処理及び定着処理を施す乾燥定着ユニット１５８（処理部）と、乾燥処理及び定着処理が施された後の記録媒体１４０を排出させる排出部１６０と、を含んで構成される。
【００５５】
描画ユニット１５２は、ＫＣＭＹの各色に対応するインクジェットヘッドと、記録媒体１４０を保持して搬送する記録媒体搬送部（不図示）とを備えている。
【００５６】
また、描画ユニット１５２は、インクジェットヘッドに供給される駆動電圧が生成される駆動電圧生成部を備えている。駆動電圧生成部は、駆動波形が生成（記憶）される駆動波形生成（記憶）部、及び駆動波形に対して電圧増幅、電流増幅が施される増幅部（出力回路）を備えている（図示省略）。
【００５７】
搬送部１５４は、描画ユニット１５２から出力された記録媒体（描画直後の記録媒体）１４０をスキャナ１５６の読取位置へ搬送する。本例では、描画ユニット１５２及びスキャナ１５６の記録媒体１４０を搬送する記録媒体搬送部が兼用されている。すなわち、搬送部１５４は、描画ユニット１５２からスキャナ１５６へ記録媒体１４０を搬送する記録媒体搬送部と兼用され、搬送部１５４による記録媒体１４０の搬送は、記録媒体１４０上に形成された画像の乾燥及び定着が進行しない程度の短期間にされるものである。
【００５８】
スキャナ１５６は、記録媒体１４０上に形成された画像を読み取るイメージセンサを含んで構成される。イメージセンサは、ラインセンサでもよいし、エリアセンサでもよい。
【００５９】
乾燥定着ユニット１５８は、送風、加熱等によって記録媒体１４０上に形成された画像を乾燥させ、かつ、加熱、加圧等によって画像を記録媒体１４０へ定着させる。
【００６０】
乾燥定着ユニット１５８により乾燥処理及び定着処理が施された記録媒体１４０は、排出部１６０から装置外部へ排出される。
【００６１】
〔インクジェットヘッドの説明〕
図５は、描画ユニット１５２に具備されるインクジェットヘッドの概略構成を示す平面図である。図４に図示した描画ユニット１５２は、ＫＣＭＹの各色に対応する４つのインクジェットヘッドを具備している。４つのインクジェットヘッドの構成は共通しているので、４つのインクジェットヘッドを区別せずに符号２００を付すこととする。
【００６２】
図５に示すインクジェットヘッド２００は、インクジェットヘッド２００を基準とする記録媒体１４０の相対搬送方向（以下、単に「記録媒体搬送方向」、「Ｙ方向」と記載することがある。）と直交する記録媒体１４０の幅方向（Ｘ方向）について複数のヘッドモジュール２０２がつなぎ合わせられた構造を有している。
【００６３】
ヘッドモジュール２０２に付した枝番号（「−」（ハイフン）の後ろに付した整数）は、ｉ（１からｎの整数）番目のヘッドモジュールであることを表している。
【００６４】
各ヘッドモジュール２０２のインク吐出面２０４には、複数のノズル開口（図５中不図示、図６に符号２１２を付して図示）が配置されている。
【００６５】
すなわち、図５に図示したインクジェットヘッド２００は、記録媒体１４０の全幅Ｌｍａｘに対応する長さにわたって複数のノズル開口が配置されたフルライン型のインクジェットヘッド（シングルパス・ページワイドヘッド）である。
【００６６】
ここで、「用紙Ｐの全幅Ｌｍａｘ」とは、記録媒体搬送方向（Ｙ方向）と直交するＸ方向における記録媒体１４０の全長である。なお、ここでいう「直交」には、９０°未満の角度、又は９０°を超える角度をなして交差する態様のうち、実質的に９０°の角度をなして交差する場合と同様の作用効果を発生させる態様が含まれる。
【００６７】
図６は、図５に示したヘッドモジュール２０２におけるノズル面の平面透視図である。図６に示すヘッドモジュール２０２は、Ｘ方向に対して角度βの傾きを有するＶ方向に沿った長辺側の端面と、Ｙ方向に対して角度αの傾きを持つＷ方向に沿った短辺側の端面とを有する平行四辺形の平面形状となっており、Ｖ方向に沿う行方向、及びＷ方向に沿う列方向について、複数のノズル開口２１２が配置されている。
【００６８】
なお、ノズル開口２１２の配置は、図６に図示した態様に限定されず、Ｘ方向に沿う行方向、及びＸ方向に対して斜めに交差する列方向に沿って複数のノズル開口２１２を配置してもよい。
【００６９】
ノズル開口２１２がマトリクス配置されたヘッドモジュール２０２は、ノズル開口２１２をＸ方向に並ぶように投影させたノズル列を考えると、Ｘ方向についてノズル開口２１２が等間隔に配置され、ノズル開口２１２の配置間隔がＸ方向のドット間隔の最小値となる構造と等価である。
【００７０】
すなわち、Ｘ方向は、ノズル開口２１２をＸ方向に並ぶように投影させた投影ノズル列におけるノズル配置方向である。以下の説明において、Ｘ方向を「ノズル配置方向」と記載することがある。
【００７１】
図示は省略するが、インクジェットヘッド２００（ヘッドモジュール２０２）は、ノズル開口２１２と連通する圧力室（液室）、供給口（供給絞り）を介して圧力室と連通する供給流路を備えている。ノズル開口２１２からインクが吐出されると、供給口を介して供給流路から圧力室へインクが充填される。
【００７２】
インクジェットヘッド２００の打滴方式は、圧電素子のたわみ変形を利用した圧電方式を適用してもよいし、インクの膜沸騰現象を利用したサーマル方式を適用してもよい。圧電方式では、圧電素子に駆動電圧が印加されると、圧電素子のたわみ変形に応じて圧力室の体積が減少し、圧力室の体積減少分に対応するインクがノズル開口２１２から打滴（吐出）される。
【００７３】
また、サーマル方式では、圧力室内のインクを加熱して気泡を発生させ、圧力室の体積に対応するインクがノズル開口２１２から打滴される。
【００７４】
図４に図示した画像形成装置は、その構成の一部が適用された画像処理装置とすることができる。図４の画像処理部１０６を単独の装置として構成し、画像形成部１５０と組み合わせて画像形成装置を構成することが可能である。
【００７５】
〔濃度測定値変換値の詳細な説明〕
次に、濃度測定値変換値について詳細に説明する。図７は、濃度変換値測定値の導出に適用される乾燥定着前後の濃度測定値の説明図であり、図７（ａ）は、乾燥定着前の濃度測定値の説明図であり、図７（ｂ）は、乾燥定着後の濃度測定値の説明図である。
【００７６】
図７（ａ）に図示した濃度測定用テスト画像３００は、図４に図示したむら補正処理部１０８により予め設定されている最新のむら補正値を用いてむら補正処理が施された画像データに基づいて、描画ユニット１５２を用いて形成される。そして、描画された濃度測定用テスト画像３００は、図４の搬送部１５４によって描画ユニット１５２からスキャナ１５６の読取位置へ搬送される。
【００７７】
濃度測定用テスト画像３００は、ノズル配列方向（図６のＸ方向）に沿うＮ本（Ｎは正の整数）の濃度設定値が異なる帯状のパターン３０２（３０２−１，３０２−２，…，３０２−Ｎ）を有し、Ｎ本の帯状のパターン３０２−１，３０２−２，…，３０２−Ｎは記録媒体搬送方向（図６のＹ方向）に沿って並べられている。
【００７８】
パターン３０２−１は濃度設定値Ａ１に対応し、パターン３０２−２は濃度設定値Ａ２に対応し、パターン３０２−Ｎは濃度設定値ＡＮに対応している。
【００７９】
図７（ａ）に図示した濃度測定用テスト画像３００は、同図における上から下へ向かって濃度設定値が小さくなっている。すなわちＮ本の帯状のパターン３０２−１，３０２−２，…，３０２−Ｎの濃度設定値は、濃度設定値Ａ１＞濃度設定値Ａ２＞…＞濃度設定値ＡＮの関係を有している。
【００８０】
濃度測定用テスト画像３００は、図４のスキャナ１５６を用いて読み取られ、スキャナ１５６の読取データに基づいて、パターン３０２−１から３０２−Ｎに対応するＮ個の乾燥定着前の濃度測定値３０４−１から３０４−Ｎが取得される。
【００８１】
１つのパターン３０２を読み取ると、ノズル配列方向の素子数に対応する複数個の読取データ値が得られるので、この複数個の読取データ値の平均値がパターン（濃度設定値）ごとの濃度測定値とされる。
【００８２】
乾燥定着前の濃度測定用テスト画像３００の読取結果から取得された。濃度設定値ごとの乾燥定着前の濃度測定値は、図４の濃度測定値取得部１２２を介して濃度測定値記憶部１２４へ記憶される。
【００８３】
図７（ｂ）に図示した乾燥定着後の濃度測定用テスト画像３１０は、図７（ａ）に図示した乾燥定着前の濃度測定用テスト画像３００に対して乾燥定着処理が施されたものである。乾燥定着後の濃度測定用テスト画像３１０は、図４のスキャナ１５６を用いて読み取られ、スキャナ１５６の読取データに基づいて、パターン３１２−１から３１２−Ｎに対応するＮ個の乾燥定着後の濃度測定値３１４−１から３１４−Ｎが取得される。
【００８４】
１つのパターン３１２を読み取ると、ノズル配列方向の素子数に対応する複数個の読取データ値が得られるので、この複数個の読取データ値の平均値がパターン（濃度設定値）ごとの濃度測定値とされる。
【００８５】
なお、パターンごとの濃度測定値３０４，３１４は、パターンごとに得られる複数個の読取データ値の最小値や最大値としてもよい。
【００８６】
図８は、濃度測定値変換値の説明図である。図８（ａ），（ｂ）に図示したように、濃度測定値変換値３４０は、濃度設定値ごとの乾燥定着前の濃度測定値に対する、乾燥定着後の濃度測定値の倍率とされる。
【００８７】
すなわち、濃度設定値ごとに、倍率＝（乾燥定着前の濃度測定値）／（乾燥定着後の濃度測定値）が算出され、濃度設定値（濃度測定用テスト画像を生成する際に適用されたむら補正値）をパラメータとする関数（一次関数）として、又は濃度設定値をインデックスとするテーブル（一次元テーブル）として、濃度測定値変換値３４０は図４の濃度測定値記憶部１２４へ記憶される。なお、濃度設定値ごとの濃度測定値変換値は、ノズルごとの二次元テーブル形式とすることも可能である。
【００８８】
〔むら補正値とインク量との関係の説明〕
むら補正値は、ノズル配列方向におけるインク量の分布を補正するインク量分布補正値と等価である。むら補正処理は、あるノズルの吐出量が過小（または過大）の場合に、当該ノズルの吐出量を増加（または減少）させて本来の吐出量が実現されている。
【００８９】
すなわち、図９（ａ）に示すように、むら補正処理は、吐出量が過小なノズル（Ｎ１，Ｎ２）について濃度設定値を大きくして、インク量を増加させている処理と等価である（図９（ｂ）参照）。図９（ｂ）には、ノズルＮ１，Ｎ２に対応する位置について、局所的にインク３５０が増量された状態が図示されている。
【００９０】
各ノズルの吐出状態が変動して、むら補正値と各ノズルの吐出特性（記録特性）との関係が適合しなくなくなると、インク量を増加させたノズルに対応する位置（図９（ａ）のノズルＮ１，Ｎ２に対応する位置）に黒すじが発生しうる。そこで、すでに設定されているむら補正値を用いたむら補正処理が施された濃度むら測定用テスト画像を形成し、この濃度むら測定用テスト画像を用いて濃度むらを測定し、測定された濃度むらに基づいてむら補正値が変更（更新）される。
【００９１】
ノズルの吐出状態に応じてむら補正値が適宜変更（更新）されることで、画像形成の際のノズルごとの吐出状態が反映されたむら補正処理が実現され、ノズルごとの吐出特性に起因する濃度むらの発生が抑制される。
【００９２】
図１０（ａ）は、図２のステップＳ１０８において取得された変換前の濃度測定値（定着乾燥前の濃度測定値）を模式的に図示した説明図であり、図１０（ｂ）は、図２のステップＳ１１０で変換された変換後の濃度測定値である。
【００９３】
図１０（ａ）に示す変換前の濃度測定値は、インク表面での光反射特性の影響で、むら補正処理の誤差やインク吐出量の経時変化などによるインク量の増量（黒すじ）部分における変化が小さく測定されている。そうすると、変換前の濃度測定値を用いて導出されたむら補正値は、現実の濃度むらを適切に反映させたものではない。
【００９４】
図１０（ｂ）に示す変換後の濃度測定値は、むら補正処理によるインク量の増量が適切に反映されている。すなわち、描画直後に濃度測定を行う構成においても、実際の濃度測定値である変換前の濃度測定値を変換後の濃度測定値に変換し、変換後の濃度測定値を用いてむら補正値が導出されることで、現実の濃度むら適切に反映されたむら補正値が導出される。
【００９５】
図１１は、濃度測定値変換値が適用される演算の説明図である。図１１に示すように、濃度測定値変換値３４０は、濃度設定値Ａ１からＡＮにおける乾燥定着前後の濃度測定値の倍率である。
【００９６】
濃度むら測定用テスト画像の読取結果から、ノズルごと、濃度設定値ごとに描画直後の乾燥定着前の画像の濃度測定値（変換前の濃度測定値）が取得され、変換前の濃度測定値の濃度設定値Ａ１からＡＮとして、濃度むら測定用テスト画像が形成される際に適用されたむら補正値の値が入力され、入力値に対応する濃度測定値変換値が取得される。
【００９７】
取得された濃度測定値変換値が変換前の濃度測定値に乗算され、変換後の濃度測定値（濃度むら測定用テスト画像の乾燥定着後の濃度測定値と等価の値）が導出される。
【００９８】
変換後の濃度測定値は、ノズルごと、濃度設定値ごとに導出され、これらの値に基づいて、新たなむら補正値が導出される。
【００９９】
なお、濃度むら測定値からむら補正値を導出する手法には、公知の技術（特開２００６−３４７１６４号公報等参照）を適用することができ、特定の手法に限定されるものではない。
【０１００】
本例に示す「むら補正値」は、上記特許文献に記載された「濃度補正係数」に相当するものである。「むら補正値」は、「ムラ補正係数（関数）」、「濃度補正係数（関数）」と呼ばれることがある。
【０１０１】
〔濃度むら測定用テスト画像の変形例〕
図１２（ａ），（ｂ）は、濃度むら測定用テスト画像の他の態様を示す説明図である。なお、図１２（ａ），（ｂ）において図７（ａ），（ｂ）と同一又は類似する部分には同一の符号を付し、その説明は省略する。
【０１０２】
図１２（ａ）に示す濃度むら測定用画像を構成するパターン３６０−１から３６０−Ｎは、一部のノズルを用いて記録媒体１４０の一部のみに形成されてもよい。また、図１２（ｂ）に示すように、濃度設定値が異なるパターン３６０−１から３６０−Ｎを離して形成してもよい。
【０１０３】
図１２（ａ）には、記録媒体１４０のノズル配列方向における中央部に濃度むら測定用テスト画像３００が形成されているが、記録媒体１４０のノズル配列方向における端部など、ノズル配列方向における中央部以外の位置に濃度むら測定用テスト画像３００を形成してもよい。
【０１０４】
〔効果の説明〕
上記の如く構成された画像処理方法、装置によれば、描画直後の乾燥定着前の濃度測定値と乾燥定着後の濃度測定値との変換関係を表す濃度測定値変換値を予め導出しておき、乾燥定着前の濃度むら測定用テスト画像の読取結果から得られた変換前の濃度測定値が、乾燥定着後の濃度測定値と等価である変換後の濃度測定値に変換され、変換後の濃度測定値に基づいてむら補正値が導出されるので、乾燥定着の濃度測定値を用いて、乾燥定着前後の濃度変化が考慮されたむら補正値を導出することができる。
【０１０５】
乾燥定着の前後でドット（インク）表面の光反射特性が変化するので、この光反射特性の変化を把握することは、乾燥定着前の濃度測定値を利用する場合に有益である。
【０１０６】
濃度測定値変換値を導出する際に、むら補正値を用いたむら補正処理が施された濃度測定用テスト画像が形成されるので、むら補正値が考慮された濃度測定値変換値が導出される。
【０１０７】
乾燥定着前の濃度測定値を利用する場合、むら補正処理の誤差やインク吐出量の経時変化などによりインク量が増量されたこと（黒すじが発生したこと）が濃度測定値に反映されていない可能性がある。そこで、インク量の増減を示すむら補正値（ノズル配列方向のインク量分布補正値）をインデックスとして濃度測定値変換値が読み出され、読み出された濃度測定値変換値を用いて定着乾燥前の濃度測定値は定着乾燥後の濃度測定値と等価の濃度測定値に変換される。
【０１０８】
〔他の装置構成への応用例〕
次に、上記した画像処理方法、画像処理装置が適用される他の装置構成について説明する。図１３は、他の装置構成に係るインクジェット記録装置の全体構成図である。
【０１０９】
同図に示すインクジェット記録装置１０は、枚葉の用紙Ｐに水性ＵＶインク（水性媒体を使用したＵＶ（紫外線）硬化型インク）を用いてインクジェット方式で画像を記録するインクジェット記録装置である。
【０１１０】
インクジェット記録装置１０は、主として、用紙Ｐを給紙する給紙部１２と、給紙部１２から給紙された用紙Ｐの表面に処理液を付与する処理液付与部１４と、処理液付与部１４で処理液が付与された用紙Ｐの乾燥処理を行う処理液乾燥処理部１６と、処理液乾燥処理部１６で乾燥処理が施された用紙Ｐの表面に水性ＵＶインクを用いてインクジェット方式で画像を記録する画像形成部１８と、画像形成部１８で画像が記録された用紙Ｐの乾燥処理を行うインク乾燥処理部２０と、インク乾燥処理部２０で乾燥処理された用紙ＰにＵＶ光（活性光線）の照射を行って画像を定着させるＵＶ照射処理部２２と、ＵＶ照射処理部２２でＵＶ照射処理された用紙Ｐを排紙する排紙部２４と、を含んで構成される。
【０１１１】
〈給紙部〉
給紙部１２は、主として、給紙台３０と、サッカー装置３２と、給紙ローラ対３４と、フィーダボード３６と、前当て３８と、給紙ドラム４０を含んで構成され、給紙台３０に積載された用紙Ｐを１枚ずつ処理液付与部１４へ給紙する。
【０１１２】
給紙台３０の上に積載された用紙Ｐは、サッカー装置３２（サクションフィット３２Ａ）によって上から順に１枚ずつ引き上げられて、給紙ローラ対３４（上下一対のローラ３４Ａ，３４Ｂの間）に給紙される。
【０１１３】
給紙ローラ対３４に給紙された用紙Ｐは、上下一対のローラ３４Ａ，３４Ｂによって前方に送り出され、フィーダボード３６の上に載置される。フィーダボード３６の上に載置された用紙Ｐは、フィーダボード３６の搬送面に設けられたテープフィーダ３６Ａによって搬送される。
【０１１４】
そして、その搬送過程でリテーナ３６Ｂ、ガイドローラ３６Ｃによってフィーダボード３６の搬送面に押し付けられ、凹凸が矯正される。フィーダボード３６によって搬送された用紙Ｐは、先端が前当て３８に当接されることにより、傾きが矯正され、その後、給紙ドラム４０に受け渡される。そして、給紙ドラム４０のグリッパ４０Ａにより先端部を把持されて処理液付与部１４へと搬送される。
【０１１５】
〈処理液付与部〉
処理液付与部１４は、主として、用紙Ｐを搬送する処理液付与ドラム４２と、処理液付与ドラム４２によって搬送される用紙Ｐの表面に所定の処理液を付与する処理液付与ユニット４４と、を含んで構成され、用紙Ｐの表面に処理液を付与（塗布）する。
【０１１６】
用紙Ｐの表面に塗布される処理液は、後段の画像形成部１８で用紙Ｐに打滴される水性ＵＶインク中の色材を凝集させる機能を有する処理液が塗布される。用紙Ｐの表面に処理液を塗布して水性ＵＶインクを打滴することにより、汎用の印刷用紙を用いても着弾干渉等を起こすことなく、高品位な印刷を行うことができる。
【０１１７】
給紙部１２の給紙ドラム４０から受け渡された用紙Ｐは、処理液付与ドラム４２に受け渡される。処理液付与ドラム４２は、用紙Ｐの先端をグリッパ４２Ａで把持して（咥えて）回転することにより、用紙Ｐを周面に巻き掛けて搬送する。
【０１１８】
この搬送過程で、処理液皿４４Ｂからアニロックスローラ４４Ｃにより一定量に計量された処理液が付与された塗布ローラ４４Ａを用紙Ｐの表面に押圧当接させることで、用紙Ｐの表面に処理液が塗布される。なお、処理液を塗布する形態はローラ塗布に限定されず、インクジェット方式、ブレードによる塗布など、他の形態を適用することも可能である。
【０１１９】
〈処理液乾燥処理部〉
処理液乾燥処理部１６は、主として、用紙Ｐを搬送する処理液乾燥処理ドラム４６と、用紙Ｐの裏面を支持（ガイド）する用紙搬送ガイド４８と、処理液乾燥処理ドラム４６によって搬送される用紙Ｐの表面に熱風を吹き当てて乾燥させる処理液乾燥処理ユニット５０と、を含んで構成され、表面に処理液が付与された用紙Ｐに対して乾燥処理を施す。
【０１２０】
処理液付与部１４の処理液付与ドラム４２から処理液乾燥処理ドラム４６へ受け渡された用紙Ｐは、処理液乾燥処理ドラム４６に具備されるグリッパ４６Ａによって先端を把持される。
【０１２１】
また、用紙Ｐは、表面（処理液が塗布された面）を内側に向けた状態で裏面を用紙搬送ガイド４８によって支持される。この状態で処理液乾燥処理ドラム４６を回転させることにより用紙Ｐを搬送させる。
【０１２２】
処理液乾燥処理ドラム４６によって搬送される過程で、処理液乾燥処理ドラム４６の内側に設置された処理液乾燥処理ユニット５０から熱風が用紙Ｐの表面に吹き当てられて、用紙Ｐに乾燥処理が施され、処理液中の溶媒成分が除去されて、用紙Ｐの表面にインク凝集層が形成される。
【０１２３】
〈画像形成部〉
画像形成部は、図４の描画ユニット１５２に対応する構成である。画像形成部１８は、主として、用紙Ｐを搬送する画像形成ドラム５２と、画像形成ドラム５２によって搬送される用紙Ｐを押圧して、用紙Ｐを画像形成ドラム５２の周面に密着させる用紙押さえローラ５４と、用紙ＰにＣ，Ｍ，Ｙ，Ｋの各色のインク液滴を吐出するインクジェットヘッド５６Ｃ，５６Ｍ，５６Ｙ，５６Ｋと、用紙Ｐに記録された画像を読み取るインラインセンサ５８と、インクミストを捕捉するミストフィルタ６０と、ドラム冷却ユニット６２と、を含んで構成され、処理液層が形成された用紙Ｐの表面にＣ，Ｍ，Ｙ，Ｋの各色のインク（水性ＵＶインク）の液滴を打滴して、用紙Ｐの表面にカラー画像を描画する。
【０１２４】
図１３に示すインクジェットヘッド５６Ｃ，５６Ｍ，５６Ｙ，５６Ｋは、図５及び図６を用いて説明したインクジェットヘッド２００が適用される。
【０１２５】
本例に適用されるインクジェットヘッドには、圧電素子のたわみ変形を利用してインクを吐出させる圧電方式（図６参照）、インクを加熱して膜沸騰現象を発生させてインクを吐出させるサーマル方式、帯電させたインクを静電気力によって記録媒体へ着弾させる静電方式など、様々な吐出方式を適用することができる。
【０１２６】
また、本例に適用されるインクジェットヘッドは、用紙Ｐの全幅（用紙Ｐの相対移動方向と直交する主走査方向の全長）に対応する長さにわたってノズルが形成されるライン型ヘッドが適用される（図３参照）。
【０１２７】
処理液乾燥処理部１６の処理液乾燥処理ドラム４６から画像形成ドラム５２へ受け渡された用紙Ｐは、画像形成ドラム５２に具備されるグリッパ５２Ａによって先端を把持される。さらに、用紙Ｐを用紙押さえローラ５４の下を通過させることで、用紙Ｐは画像形成ドラム５２の周面に密着する。
【０１２８】
画像形成ドラム５２の周面に密着させた用紙Ｐは、画像形成ドラム５２の周面に形成された吸着穴に発生させた負圧によって吸着されて、画像形成ドラム５２の周面に吸着保持される。
【０１２９】
画像形成ドラム５２の周面に吸着保持され搬送される用紙Ｐは、各インクジェットヘッド５６Ｃ，５６Ｍ，５６Ｙ，５６Ｋの直下のインク打滴領域を通過する際に、各インクジェットヘッド５６Ｃ，５６Ｍ，５６Ｙ，５６ＫからＣ，Ｍ，Ｙ，Ｋの各色のインクの液滴が表面に打滴されて、表面にカラー画像が描画される。
【０１３０】
用紙Ｐの表面に打滴されたインクは、用紙Ｐの表面に形成されたインク凝集層と反応し、フェザリングやブリーディング等を起こすことなく用紙Ｐの表面に定着し、用紙Ｐの表面には高品位な画像が形成される。
【０１３１】
インクジェットヘッド５６Ｃ，５６Ｍ，５６Ｙ，５６Ｋによって画像が形成された用紙Ｐは、インラインセンサ５８の読取領域を通過する際に、表面に形成された画像が読み取られる。
【０１３２】
図１３のインラインセンサ５８は、図４のスキャナ１５６に対応する構成である。
【０１３３】
インラインセンサ５８による画像の読み取りは必要に応じて行われ、画像の読取データから吐出不良、濃度むら等の画像欠陥（画像異常）の検査が行われる。インラインセンサ５８の読取領域を通過した用紙Ｐは、吸着が解除された後、ガイド５９の下を通過して、インク乾燥処理部２０へと受け渡される。
【０１３４】
〈インク乾燥処理部〉
図１３のインク乾燥処理部は、図４の乾燥定着ユニット１５８に対応する構成である。
【０１３５】
インク乾燥処理部２０は、チェーングリッパ６４によって搬送される用紙Ｐに対して乾燥処理を施すインク乾燥処理ユニット６８を含んで構成され、画像形成後の用紙Ｐに対して乾燥処理を施し、用紙Ｐの表面に残存する液体成分を除去する。
【０１３６】
インク乾燥処理ユニット６８の構成例として、ハロゲンヒータ、赤外線（ＩＲ）ヒータ
等の熱源と、熱源によって熱せられた空気（気体、流体）を用紙Ｐへ吹き付けるファンと、を具備する態様が挙げられる。
【０１３７】
画像形成部１８の画像形成ドラム５２からチェーングリッパ６４へ受け渡された用紙Ｐは、チェーングリッパ６４に具備されるグリッパ６４Ｄによって先端を把持される。
【０１３８】
チェーングリッパ６４は、第１スプロケット６４Ａ及び第２スプロケット６４Ｂに一対の無端状のチェーン６４Ｃが巻き掛けられた構造を有している。
【０１３９】
また、用紙Ｐの後端の裏面は、チェーングリッパ６４との間の一定の距離を離して配置されたガイドプレート７２の用紙保持面に吸着保持される。
【０１４０】
〈ＵＶ照射処理部〉
ＵＶ照射処理部２２（活性光線照射手段）は、ＵＶ照射ユニット７４を含んで構成され、水性ＵＶインクを用いて記録された画像に紫外線を照射して、用紙Ｐの表面に画像を定着させる。
【０１４１】
ＵＶ照射ユニットの構成例として、ＵＶ光を発生させる紫外線光源と、ＵＶ光を集光する手段、ＵＶ光を偏向させる手段等として機能する光学系と、を含む態様が挙げられる。
【０１４２】
チェーングリッパ６４によって搬送される用紙ＰがＵＶ照射ユニット７４のＵＶ光照射領域に到達すると、チェーングリッパ６４の内部に設置されたＵＶ照射ユニット７４によりＵＶ照射処理が施される。
【０１４３】
すなわち、先端をグリッパによって把持され、後端の裏面を用紙保持面に吸着保持されてチェーングリッパ６４によって搬送される用紙Ｐは、用紙Ｐの搬送経路において用紙Ｐの表面と対応する位置に配置されたＵＶ照射ユニット７４からＵＶ光が照射される。ＵＶ光が照射された画像（インク）は、硬化反応が発現して用紙Ｐの表面に定着する。
【０１４４】
ＵＶ照射処理が施された用紙Ｐは、傾斜搬送経路７０Ｂを経由して排紙部２４へ送られる。傾斜搬送経路７０Ｂを通過する用紙Ｐに対して、冷却処理を施す冷却処理部を備えてもよい。
【０１４５】
〈排紙部〉
一連の画像形成処理が行われた用紙Ｐを回収する排紙部２４は、用紙Ｐを積み重ねて回収する排紙台７６を含んで構成される。
【０１４６】
チェーングリッパ６４（グリッパ６４Ｄ）は、排紙台７６の上で用紙Ｐを開放し、排紙台７６の上に用紙Ｐをスタックさせる。排紙台７６は、チェーングリッパ６４から開放された用紙Ｐを積み重ねて回収する。排紙台７６には、用紙Ｐが整然と積み重ねられるように、不図示の用紙当て（前用紙当て、後用紙当て、横用紙当て等）が備えられる。
【０１４７】
また、排紙台７６は、図示しない排紙台昇降装置によって昇降可能に設けられる。排紙台昇降装置は、排紙台７６にスタックされる用紙Ｐの増減に連動して、その駆動が制御され、最上位に位置する用紙Ｐが常に一定の高さに位置するように、排紙台７６を昇降させる。
【０１４８】
図１３のインクジェット記録装置１０の制御系には、図４の画像処理部１０６を適用し、かつ、装置各部に対応する制御部、メモリ等の構成を追加し、これらを統括的に制御する、システム制御部を追加することが可能である。
【０１４９】
以上説明した画像処理方法、画像処理装置、画像処理プログラム及び画像形成装置は、本発明の趣旨を逸脱しない範囲で、適宜変更、追加、削除をすることが可能である。また、上述した構成例を適宜組み合わせることも可能である。
【０１５０】
本明細書では、画像形成装置の一例としてインクジェット記録装置を例示したが、本発明は、インクジェット記録装置以外の画像形成装置（例えば、電子写真方式の画像形成装置）に対しても広く適用することが可能である。
【０１５１】
〔本明細書が開示する発明〕
上記に詳述した発明の実施形態についての記載から把握されるとおり、本明細書は少なくとも以下に示す発明を含む多様な技術思想の開示を含んでいる。
【０１５２】
（第１態様）：予め設定されたむら補正値を用いて、記録ヘッドに具備される複数の記録素子の記録特性に起因する濃度むらを補正するむら補正処理が施された画像データに基づいて、濃度むら測定用テスト画像を形成する濃度むら測定用テスト画像形成工程と、記録ヘッドを用いた画像形成後の処理の前に、濃度むら測定用テスト画像における記録素子ごと濃度設定値ごとの濃度測定値である変換前濃度測定値を取得する濃度測定値取得工程と、予め導出された、濃度設定値ごとの処理の前後における濃度測定値の変換関係を表し、濃度設定値として設定されたむら補正値が適用される濃度測定値変換値を用いて、取得された変換前濃度測定値を処理後の濃度測定値に相当する変換後濃度測定値に変換する濃度測定値変換工程と、変換後濃度測定値を用いて新たなむら補正値を導出するむら補正値導出工程と、を含む画像処理方法。
【０１５３】
第１態様によれば、処理の前後における濃度測定値の変換関係を表す濃度測定値変換値を用いて、処理前の濃度測定値である変換前濃度測定値が処理後の濃度測定値に相当する変換後濃度測定値に変換され、変化後の濃度測定値に基づいてむら補正値が導出されるので、処理の前後で画像の濃度測定値の違いが考慮された新たなむら補正値が導出される。
【０１５４】
記録ヘッドは、ノズルからインクを吐出させるインクジェットヘッド、電子写真方式の画像装置における記録ヘッドなどが含まれる。
【０１５５】
記録素子は、インクジェットヘッドに具備されるノズル、電子写真方式の画像装置における記録ヘッドに具備されるＬＥＤ素子などが含まれる。
【０１５６】
画像形成後の処理（第２処理）の前に、他の処理（第１処理）が施されてもよい。
【０１５７】
（第２態様）：第１態様に記載の画像処理方法において、予め設定されたむら補正値を用いてむら補正処理が施された画像データに基づき、記録ヘッドを用いて濃度測定用テスト画像を形成する濃度測定用テスト画像形成工程と、形成された濃度測定用テスト画像の処理の前に、濃度測定用テスト画像における濃度設定値ごとの処理の前の濃度測定値を取得する処理前濃度測定値取得工程と、形成された濃度測定用テスト画像に処理を施す処理工程と、処理工程の後に、濃度測定用テスト画像における濃度設定値ごとの処理の後の濃度測定値を取得する処理後濃度測定値取得工程と、処理前濃度測定値及び処理後濃度測定値に基づいて、設定されたむら補正値を濃度設定値として、濃度設定値ごとの濃度測定値変換値を導出する濃度測定値変換値導出工程と、を含んでいる。
【０１５８】
第２態様によれば、画像形成後の処理の前後の濃度測定値が測定され、測定結果に基づいて濃度測定値変換値が導出されるので、処理の前後における濃度変化に対応した好ましい濃度測定値変換値が導出される。
【０１５９】
（第３態様）：第２態様に記載の画像処理方法において、濃度測定値変換値導出工程は、濃度設定値ごとに、次式（処理の後の濃度測定値）／（処理の前の濃度測定値）…（１）を用いた演算によって、濃度測定値変換値を導出する。
【０１６０】
第３態様において、（１）式を用いた演算により算出された濃度測定値変換値は、濃度設定値を変数とする関数として記憶してもよいし、濃度設定値をインデックスとするテーブル形式として記憶してもよい。
【０１６１】
（第４態様）：第３態様に記載の画像処理方法において、濃度設定値変換工程は、濃度むら測定用画像を形成した際のむら補正値の値を濃度設定値に適用して（１）式を用いて導出された値を読み出し、読み出された濃度測定値変換値を変換前濃度測定値に乗じて、むら補正値を濃度設定値とする変換前濃度測定値を変換後濃度測定値に変換する。
【０１６２】
第４態様によれば、濃度測定値変換値を用いた乗算によって変換前濃度測定値を変換後濃度測定値に変換することができる。
【０１６３】
（第５態様）：第２態様から第４態様のいずれかに記載の画像処理方法において、処理前濃度測定値取得工程は、記録素子の配列方向における複数の濃度測定値の平均値を処理前濃度測定値とし、処理後濃度測定値取得工程は、記録素子の配列方向における複数の濃度測定値の平均値を処理後濃度測定値とする。
【０１６４】
第５態様によれば、記録素子の配列方向における記録素子の特性のばらつきに起因する濃度変動が考慮された、変換前濃度測定値が得られる。
【０１６５】
（第６態様）：第２態様から第５態様のいずれかに記載の画像処理方法において、形成された濃度測定用テスト画像の処理の前に、撮像素子を用いて濃度測定用テスト画像を読み取る処理前読取工程を含み、処理前濃度測定値取得工程は、処理前読取工程の読取結果から、濃度測定用テスト画像における濃度設定値ごとの処理の前の濃度測定値を取得する。
【０１６６】
第６態様によれば、非接触の手法によって、撮像素子の読取結果から濃度測定用テスト画像の濃度測定値を実測することができる。
【０１６７】
（第７態様）：第６態様に記載の画像処理方法において、処理工程の後に、撮像素子を用いて濃度測定用テスト画像を読み取る処理後読取工程を含み、処理後濃度測定値取得工程は、処理後読取工程の読取結果から、濃度測定用テスト画像における濃度設定値ごとの処理の後の濃度測定値を取得する。
【０１６８】
第７態様によれば、処理の前後で同じ手法により濃度測定用テスト画像の濃度測定値が実測されるので、変換前後の濃度測定値における誤差の発生を抑制しうる。
【０１６９】
（第８態様）：第１態様から第７態様のいずれかに記載の画像処理方法において、記録ヘッドを用いた画像形成後の処理の前に、形成された濃度むら測定用テスト画像を、撮像素子を用いて読み取る読取工程を含み、濃度測定値取得工程は、読取工程の読取結果から、濃度むら測定用テスト画像における記録素子ごと濃度設定値ごとの濃度測定値である変換前濃度測定値を取得する。
【０１７０】
第６態様から第８態様における撮像素子は、同一のものを適用することで、撮像素子の固体ばらつきに起因する濃度測定値の誤差の発生が抑制される。
【０１７１】
（第９態様）：第１態様から第８態様のいずれかに記載の画像処理方法において、画像形成後の処理は、乾燥処理及び定着処理の少なくともいずれか一方を含んでいる。
【０１７２】
第９態様によれば、乾燥処理又は定着処理の前後で濃度変化が生じる場合にも、処理の前後の濃度変化が考慮されたむら補正値が導出される。
【０１７３】
（第１０態様）：予め設定されたむら補正値を用いて、記録ヘッドに具備される複数の記録素子の記録特性に起因する濃度むらを補正するむら補正処理が施された画像データに基づいて形成された濃度むら測定用テスト画像における、記録素子ごと濃度設定値ごとの濃度測定値である変換前濃度測定値を取得する濃度測定値取得部と、予め導出され、濃度設定値ごとの処理の前後における濃度測定値の変換関係を表し、濃度設定値として設定されたむら補正値が適用される濃度測定値変換値を用いて、取得された変換前濃度測定値を処理後の濃度測定値に相当する変換後濃度測定値に変換する濃度測定値変換部と、変換後濃度測定値を用いて新たなむら補正値を導出するむら補正値導出部と、を備えた画像処理装置。
【０１７４】
第１０態様において、撮像素子を用いて濃度むら測定用テスト画像を読み取る読取部を備え、濃度測定値取得部は、読取部の読取結果に基づいて変換前濃度測定値を取得する態様が好ましい。
【０１７５】
また、処理部の処理は、乾燥処理及び定着処理の少なくともいずれか一方を含む態様が好ましい。
【０１７６】
（第１１態様）：第１０態様に記載の画像処理装置において、濃度測定値変換値を導出する濃度測定値変換値導出部を備え、濃度測定値取得部は、予め設定されたむら補正値を用いてむら補正処理が施された画像データに基づいて記録ヘッドを用いて形成された濃度測定用テスト画像における処理の前の濃度設定値ごとの処理前濃度測定値、濃度測定用テスト画像の処理の後の濃度設定値ごとの処理後濃度測定値を取得し、濃度測定値変換値導出部は、処理の前の濃度測定値及び処理の後の濃度測定値に基づいて、設定されたむら補正値を濃度設定値として、濃度設定値ごとの濃度測定値変換値を導出する。
【０１７７】
第１１態様において、濃度測定値変換値導出部は、濃度設定値ごとに、次式（処理の後の濃度測定値）／（処理の前の濃度測定値）…（１）を用いた演算によって、濃度測定値変換値を導出する態様が好ましい。
【０１７８】
また、濃度測定値変換部は、濃度むら測定用画像を形成した際のむら補正値の値を濃度設定値に適用して（１）式を用いて導出された値を読み出し、読み出された濃度測定値変換値を変換前濃度測定値に乗じて、むら補正値を濃度設定値とする変換前濃度測定値を変換後濃度測定値に変換する態様が好ましい。
【０１７９】
また、濃度測定値取得部は、記録素子の配列方向における複数の濃度測定値の平均値を処理前濃度測定値、処理後濃度測定値とする態様が好ましい。
【０１８０】
また、撮像素子を用いて処理前後の濃度測定用画像を読み取る読取部を備え、濃度測定値取得部は、撮像素子の読取結果に基づいて処理前の濃度測定値、及び処理後の濃度測定値を取得する態様も好ましい。
【０１８１】
（第１２態様）：コンピュータに、予め設定されたむら補正値を用いて、記録ヘッドに具備される複数の記録素子の記録特性に起因する濃度むらを補正するむら補正処理が施された画像データに基づいて、濃度むら測定用テスト画像を形成する濃度むら測定用テスト画像形成工程と、記録ヘッドを用いた画像形成後の処理の前に、形成された濃度むら測定用テスト画像における記録素子ごと濃度設定値ごとの濃度測定値である変換前濃度測定値を取得する濃度測定値取得工程と、予め導出され、濃度設定値ごとの処理の前後における濃度測定値の変換関係を表し、濃度設定値として設定されたむら補正値が適用される濃度測定値変換値を用いて、取得された変換前濃度測定値を処理後の濃度測定値に相当する変換後濃度測定値に変換する濃度測定値変換工程と、変換後濃度測定値を用いて新たなむら補正値を導出するむら補正値導出工程と、を実行させる画像処理プログラム。
【０１８２】
第１２態様において、予め設定されたむら補正値を用いてむら補正処理が施された画像データに基づき、記録ヘッドを用いて濃度測定用テスト画像を形成する濃度測定用テスト画像形成工程と、形成された濃度測定用テスト画像の処理の前に、撮像素子を用いて濃度測定用テスト画像を読み取る処理前読取工程と、処理前読取工程の読取結果から、濃度測定用テスト画像における濃度設定値ごとの処理の前の濃度測定値を取得する処理前濃度測定値取得工程と、形成された濃度測定用テスト画像に処理を施す処理工程と、処理工程の後に、撮像素子を用いて濃度測定用テスト画像を読み取る処理後読取工程と、処理後読取工程の読取結果から、濃度測定用テスト画像における濃度設定値ごとの処理の後の濃度測定値を取得する処理後濃度測定値取得工程と、処理前濃度測定値及び処理後濃度測定値に基づいて、設定されたむら補正値を濃度設定値として、濃度設定値ごとの濃度測定値変換値を導出する濃度測定値変換値導出工程と、を含む態様が好ましい。
【０１８３】
また、濃度測定値変換値導出工程は、濃度設定値ごとに、次式（処理の後の濃度測定値）／（処理の前の濃度測定値）…（１）を用いた演算によって、濃度測定値変換値を導出する態様が好ましい。
【０１８４】
また、濃度設定値変換工程は、濃度むら測定用画像を形成した際のむら補正値の値を濃度設定値に適用して（１）式を用いて導出された値を読み出し、読み出された濃度測定値変換値を変換前濃度測定値に乗じて、むら補正値を濃度設定値とする変換前濃度測定値を変換後濃度測定値に変換する態様が好ましい。
【０１８５】
また、処理前濃度測定値取得工程は、記録素子の配列方向における複数の濃度測定値の平均値を処理前濃度測定値とし、処理後濃度測定値取得工程は、記録素子の配列方向における複数の濃度測定値の平均値を処理後濃度測定値とする態様が好ましい。
【０１８６】
また、画像形成後の処理は、乾燥処理及び定着処理の少なくともいずれか一方を含む態様が好ましい。
【０１８７】
また、形成された濃度測定用テスト画像の処理の前に、撮像素子を用いて濃度測定用テスト画像を読み取る処理前読取工程を含み、処理前濃度測定値取得工程は、処理前読取工程の読取結果から、濃度測定用テスト画像における濃度設定値ごとの処理の前の濃度測定値を取得する態様が好ましい。
【０１８８】
また、処理工程の後に、撮像素子を用いて濃度測定用テスト画像を読み取る処理後読取工程を含み、処理後濃度測定値取得工程は、処理後読取工程の読取結果から、濃度測定用テスト画像における濃度設定値ごとの処理の後の濃度測定値を取得する態様が好ましい。
【０１８９】
また、記録ヘッドを用いた画像形成後の処理の前に、形成された濃度むら測定用テスト画像を、撮像素子を用いて読み取る読取工程を含み、濃度測定値取得工程は、読取工程の読取結果から、濃度むら測定用テスト画像における記録素子ごと濃度設定値ごとの濃度測定値である変換前濃度測定値を取得する態様が好ましい。
【０１９０】
また、画像形成後の処理は、乾燥処理及び定着処理の少なくともいずれか一方を含む態様が好ましい。
【０１９１】
（第１３態様）：複数の記録素子が具備される記録ヘッドと、入力画像データに対して、記録ヘッドに具備される複数の記録素子の記録特性に起因する濃度むらを予め設定されたむら補正値を用いてむら補正処理を施すむら補正処理部を具備する画像処理部と、記録媒体と記録ヘッドとを相対的に搬送させる相対搬送部と、記録ヘッドを基準とする記録媒体の相対移動方向における記録ヘッドの下流側に設けられ、記録ヘッドを用いて形成された画像の濃度測定値を取得する濃度測定値取得部と、記録ヘッドを基準とする記録媒体の相対移動方向における濃度測定値取得部の下流側に設けられ、記録ヘッドを用いて形成された画像に処理を施す処理部と、濃度設定値ごとの処理部による処理の前後における濃度測定値の変換関係を表し、濃度設定値として設定されたむら補正値が適用される濃度測定値変換値を用いて、取得された変換前濃度測定値を処理の後の濃度測定値に相当する変換後濃度測定値に変換する濃度測定値変換部と、変換後濃度測定値を用いて新たなむら補正値を導出するむら補正値導出部と、を備え、濃度測定値取得部は、処理部による処理の前に、画像処理部において、予め設定されたむら補正値を用いたむら補正処理が施された画像データに基づいて生成された濃度むら測定用テスト画像における記録素子ごと濃度設定値ごとの濃度測定値である変換前濃度測定値を取得し、むら補正値導出部によって新たなむら補正値が導出されると、新たなむら補正値を用いて画像データに対してむら補正処理を施し、記録ヘッドは、新たなむら補正値を用いてむら補正処理が施された画像データに基づいて所望の画像を形成する画像形成装置。
【０１９２】
第１３態様において、撮像素子を用いて濃度むら測定用テスト画像を読み取る読取部を備え、濃度測定値取得部は、読取部の読取結果に基づいて変換前濃度測定値を取得する態様が好ましい。
【０１９３】
また、処理部の処理は、乾燥処理及び定着処理の少なくともいずれか一方を含む態様が好ましい。
【０１９４】
また、濃度測定値変換値を導出する濃度測定値変換値導出部を備え、読取部は、予め設定されたむら補正値を用いてむら補正処理が施された画像データに基づいて記録ヘッドを用いて形成された濃度測定用テスト画像を、処理の前及び処理の後に読み取り、濃度測定値取得部は、読取部の読取結果から、濃度測定用テスト画像の処理の前の濃度設定値ごとの処理前濃度測定値、濃度測定用テスト画像の処理の後の濃度設定値ごとの処理前濃度測定値を取得し、濃度測定値変換値導出部は、処理の前の濃度測定値及び処理の後の濃度測定値に基づいて、設定されたむら補正値を濃度設定値として、濃度設定値ごとの濃度測定値変換値を導出する態様が好ましい。
【０１９５】
また、濃度測定値変換値導出部は、濃度設定値ごとに、次式（処理の後の濃度測定値）／（処理の前の濃度測定値）…（１）を用いた演算によって、濃度測定値変換値を導出する態様が好ましい。
【０１９６】
また、濃度測定値変換部は、濃度むら測定用画像を形成した際のむら補正値の値を濃度設定値に適用して（１）式を用いて導出された値を読み出し、読み出された濃度測定値変換値を変換前濃度測定値に乗じて、むら補正値を濃度設定値とする変換前濃度測定値を変換後濃度測定値に変換する態様が好ましい。
【０１９７】
また、濃度測定値取得部は、記録素子の配列方向における複数の濃度測定値の平均値を処理前濃度測定値、処理後濃度測定値とする態様が好ましい。
【０１９８】
また、撮像素子を用いて処理前後の濃度測定用画像を読み取る読取部を備え、濃度測定値取得部は、撮像素子の読取結果に基づいて処理前の濃度測定値、及び処理後の濃度測定値を取得する態様も好ましい。
【符号の説明】
【０１９９】
１０，１００…インクジェット記録装置、２０…インク乾燥処理部、５６Ｃ，５６Ｍ，５６Ｙ，５６Ｋ，２００…インクジェットヘッド、５８…インラインセンサ、６８…インク乾燥処理ユニット、１０６…画像処理部、１０８…むら補正処理部、１２２…濃度測定値取得部、１３２…演算処理部、１８，１５０…画像形成部、１５２…描画ユニット、１５６…スキャナ、１５８…乾燥定着ユニット
【図１】
2014231155.tif 000003
【図２】
2014231155.tif 000004
【図３】
2014231155.tif 000005
【図４】
2014231155.tif 000006
【図５】
2014231155.tif 000007
【図６】
2014231155.tif 000008
【図７】
2014231155.tif 000009
【図８】
2014231155.tif 000010
【図９】
2014231155.tif 000011
【図１０】
2014231155.tif 000012
【図１１】
2014231155.tif 000013
【図１２】
2014231155.tif 000014
【図１３】
2014231155.tif 000015